(57)【要約】      （修正有）【課題】  親核種はもとより娘核種からの被曝も防止し得ると共に、娘核種を含む溶出液の導出ライン分離廃棄が容易で、漏出・汚染の危険性が低く、しかも取り扱い利便性に優れたウェット式として好適な放射性薬液生成供給システムの提供。【解決手段】  親核種の放射線壊変を利用して娘核種を溶出液に溶離生成させた後、当該娘核種を含む溶出液を貯留部に供給するシステムであって、親核種を収容して娘核種を生成させる放射性薬液溶離装置２０を収納する親核種用放射線遮蔽容器１０と、娘核種を含む溶出液を供出針まで導出する排出管２３及び溶出液フィルタ２４を収納する娘核種用放射線遮蔽容器１３とを別体で備えている放射性薬液生成供給システム。【選択図】図１
2005315870.tif 000002
【特許請求の範囲】
【請求項１】
親核種の放射線壊変を利用して娘核種を溶出液に溶離生成させた後、当該娘核種を含む溶出液を貯留部に供給するシステムであって、親核種を収容して娘核種を生成させる放射性薬液溶離装置を収納する親核種用放射線遮蔽容器と、娘核種を含む溶出液を供出針まで導出する排出管及び溶出液フィルタを収納する娘核種用放射線遮蔽容器とを別体で備えていることを特徴とする放射性薬液生成供給システム。
【請求項２】
娘核種用放射線遮蔽容器が、排出管の形状に対応した排出管収容部と、溶出液フィルタの形状に対応した溶出液フィルタ収容部とを有することを特徴とする請求項１記載の放射性薬液生成供給システム。
【請求項３】
娘核種用放射線遮蔽体が、着脱自在の２分割体から成ることを特徴とする請求項１又は２記載の放射性薬液生成供給システム。
【請求項４】
予め溶出液封入体がセットされていると共に、供給管および排出管に開閉バルブが備えられていることを特徴とする請求項１〜３の何れか１項記載の放射性薬液生成供給システム。
【請求項５】
親核種用放射線遮蔽容器の材質がタングステンであり、かつ娘核種用放射線遮蔽容器の材質が鉛であることを特徴とする請求項１〜４の何れか１項記載の放射性薬液生成供給システム。
【請求項６】
親核種が９９モリブデンで、かつ娘核種が９９ｍテクネチウムである請求項１〜５の何れか１項記載の放射性薬液生成供給システム。
【発明の詳細な説明】
【技術分野】
【０００１】
本発明は、親核種から娘核種を生成せしめ、それを画像診断薬や治療薬として供給するための放射性薬液生成供給システムに関する。
【背景技術】
【０００２】
近年、放射性薬剤としては、９９Ｍｏ／９９ｍＴｃ、８１Ｒｂ／８１ｍＫｒ、９０Ｓｒ／９０Ｙ、１８８Ｗ／１８８Ｒｅ等のような放射性薬液が実用に供されている。
【０００３】
特に、親核種９９モリブデンから生成される娘核種９９ｍテクネチウムを用いた製剤は、局所脳血流シンチグラフィや心臓疾患の診断等で有用な情報が得られるという理由から広く一般に利用されている。この放射性薬剤に利用されている９９ｍテクネチウムは、放射性薬液溶離装置、いわゆるジェネレータに９９ｍテクネチウムの親核種である９９モリブデンを封入し、壊変により生成した娘核種９９ｍテクネチウムを生理食塩液を溶出液として溶離したものである。
【０００４】
然るところ、９９モリブデンと９９ｍテクネチウムは放射性物質で、絶えずγ線を放出し、放射性薬液溶離装置を透過している。そこで、輸送および使用時の人体への被曝を押さえるため、従来から鉛、タングステン等の金属により放射性薬液溶離装置を包み込み、γ線を遮蔽することが行なわれている（例えば特許文献１参照）。
【０００５】
しかしながら、斯かる従来のシステムは、放射性薬液溶離装置のみを遮蔽するものに過ぎなかったため、溶離した９９ｍテクネチウム等の娘核種を含む溶出液からの被曝を防止することができない、と云う問題があった。
【０００６】
一方、放射性薬液溶離装置への溶出液供給路と娘核種を含む溶出液排出路を、放射性薬液溶離装置用の放射線遮蔽体内に形設した技術も既に報告されている（例えば特許文献２参照）。
【０００７】
しかしながら、放射性薬液溶離装置用の放射線遮蔽体内に、溶出液供給路と娘核種を含む溶出液排出路を形設した場合には、使用後における当該溶出液供給路及び溶出液排出路の分離廃棄がし難いと云う問題があった。
【０００８】
また、予め溶出液封入体をセットした所謂ウェット式システムとする場合には、使用時に貯留部たるバイアルのみを装着すれば良く、極めて取り扱い利便性に優れるものの、流路にはたえず溶出液が満されているため、溶出操作時以外にも娘核種が漏出し、汚染の恐れがある。そこで、溶出操作時のみに流路を開く、開閉バルブの設置が必要となるが、この開閉バルブを供給管にのみ設置した場合には、十分に流路を閉じることができないため、漏出・汚染の危険性が高かった。そのため、供給管と排出管との両方に作用する同時開閉バルブを設けることが必要であった。この同時開閉バルブを放射性薬液溶離装置用の放射線遮蔽体内に設置した場合には、その開閉バルブ用のスペース分だけ放射線遮蔽体の厚さが薄くなり、高エネルギーの親核種の放射線遮蔽効果が減退する。そこで、放射線遮蔽体の厚さを薄くすることなく、放射線遮蔽効果を維持するためには、放射性薬液溶離装置用の放射線遮蔽体をより大型化せざるを得ず、必然的に重量が増大してしまうため、実施されなかった。
【０００９】
しかも、放射性薬液溶離装置用の放射線遮蔽体内に開閉バルブを設置した場合には、当該放射線遮蔽体の構造が複雑なものとならざるを得ず、自ずとその製造に難があると共に、開閉バルブの操作性確保も困難となり、取り扱い利便性に優れた上記ウェット式システムの提供は困難なのが実状であった。
【特許文献１】特公平３−４２４４０号公報
【特許文献２】特開平９−５４９１号公報
【発明の開示】
【発明が解決しようとする課題】
【００１０】
本発明は、上記の如き従来の問題と実状に鑑みてなされたもので、親核種はもとより娘核種からの被曝も防止し得ると共に、娘核種を含む溶出液の導出ラインの分離廃棄が容易で、漏出・汚染の危険性が低く、しかも取り扱い利便性に優れたウェット式として好適な放射性薬液生成供給システムを提供することを課題とする。
【課題を解決するための手段】
【００１１】
本発明者は上記課題を解決すべく、鋭意検討を重ねた結果、親核種用の放射線遮蔽体と娘核種用の放射線遮蔽体とを各別に設ければ、極めて良い結果が得られることを見い出し、本発明を完成した。
【００１２】
すなわち、本発明は親核種の放射線壊変を利用して娘核種を溶出液に溶離生成させた後、当該娘核種を含む溶出液を貯留部に供給するシステムであって、親核種を収容して娘核種を生成させる放射性薬液溶離装置を収納する親核種用放射線遮蔽容器と、娘核種を含む溶出液を供出針まで導出する排出管及び溶出液フィルタを収納する娘核種用放射線遮蔽容器とを別体で備えている放射性薬液生成供給システムにより上記課題を解決したものである。
【発明の効果】
【００１３】
本発明によれば、親核種はもとより娘核種からの被曝も防止することができるので、親核種から娘核種を安全に溶離生成せしめることができると共に、当該生成した娘核種を含む溶出液を安全に貯留部まで供給することができる。
【００１４】
しかも、本発明においては、娘核種を含む溶出液の排出管や溶出フィルタを、親核種とは別体の放射線遮蔽容器で遮蔽しているので、システム使用後においては、娘核種を含む溶出液の排出管や溶出液フィルタを容易に分離廃棄することができる。また、供給管のみならず排出管に開閉バルブを設置することにより、溶出操作時以外でも娘核種の漏出・汚染を防ぐことができる。更に、娘核種は親核種に比し低エネルギーであるため、高エネルギーの親核種用放射線遮蔽容器一つで遮蔽する場合に比し複雑な構造とはならず、システム全体としても小型軽量化が容易であるので、特に予め溶出液封入体をセットすることにより、取り扱い利便性に優れたウェット式放射性薬液生成供給システムを容易に提供することができる。
【発明を実施するための最良の形態】
【００１５】
以下実施の形態を示す図面と共に本発明を説明する。
図１は、本発明放射性薬液生成供給システムを示す概略縦断面説明図である。該システムは、９９ｍテクネチウム（娘核種）を生成する際に使用される放射性薬液溶離装置２０と、生成させた娘核種を放射性薬液溶離装置から溶離させるための生理食塩液（溶出液）封入体２１と、その生理食塩液（溶出液）を放射性薬液溶離装置２０へ導入する供給管２２とからなる溶出液供給手段と；溶出した９９ｍテクネチウムを含む生理食塩液を放射性薬液溶離装置２０から導出する排出管２３と、溶出液フィルタ２４と、供出針２５と、溶出液貯留用バイアル（貯留部）２６とからなる導出手段と；生理食塩液（溶出液）の供給と９９ｍテクネチウムを含む生理食塩液（溶出液）の導出を開閉するための開閉バルブ２７等からなる制止手段と；放射性薬液溶離装置から出る９９モリブデン（親核種）の放射線を遮蔽する親核種用放射線遮蔽容器１０と；９９ｍテクネチウム（娘核種）溶出液から出る放射線を遮蔽する娘核種用放射線遮蔽容器１３；とから構成され、それぞれ収納容器２８内に設置されている。
【００１６】
放射性薬液溶離装置２０は、９９モリブデン（親核種）から９９ｍテクネチウム（娘核種）を生成させるものであり、その内部には９９モリブデン（親核種）を吸着させるアルミナ、ジルコニウム等が充填されている。
【００１７】
生理食塩液（溶出液）封入体２１内の生理食塩液（溶出液）は、９９モリブデン（親核種）から９９ｍテクネチウム（娘核種）を放射性薬液溶離装置２０より溶出させるために用いられるもので、その封入体２１の材質は、ガラス、プラスチック等その如何を問わないが、変形自在性、軽量化の容易性等の点から軟質プラスチックが有利である。
【００１８】
供給管２２は、生理食塩液（溶出液）２１を放射性薬液溶離装置２０へ導入するためのもので、ステンレス管部とプラスチック管部の連結体により構成されている。
【００１９】
排出管２３は、溶出された９９ｍテクネチウム（娘核種）を放射性薬液溶離装置２０から供出針２５へ導出するためのもので、ステンレス管部とプラスチック管部の連結体により構成されている。
【００２０】
溶出液フィルタ２４は、放射性薬液溶離装置２０から溶出された９９ｍテクネチウム（娘核種）溶液中の異物等を除去するもので、異物等を除去できるものであれば材質および形状等はその如何を問わない。
【００２１】
供出針２５は、溶出液貯留用バイアル（貯留部）２６に９９ｍテクネチウム（娘核種）を供給するものであり、溶出液フィルタ２４に連結されている。
【００２２】
溶出液貯留用バイアル（貯留部）２６は、溶出した９９ｍテクネチウム（娘核種）を貯留するものであり、圧力差を利用して溶出した９９ｍテクネチウム（娘核種）が貯留されるように該バイアル２６内部は減圧されている。尚、該バイアル２６は、別途用意した溶出用遮蔽体に収容して使用する。
【００２３】
開閉バルブ２７は、放射性薬液溶離装置２０から溶出した９９ｍテクネチウム（娘核種）を導出または停止させるもので、供給管２２および排出管２３に取り付けられ、レバー等を用いて同時に開閉する構造となっている。すなわち、開閉バルブ２７は、娘核種を含む溶出液の導出時には供給管２２および排出管２３を開放し、停止時には供給管２２および排出管２３を閉止する。
【００２４】
親核種用放射性薬液遮蔽容器１０は、９９モリブデン（娘核種）からの放射線を遮蔽するもので、その内部には放射性薬液溶離装置２０を収容するための凹所が形設されている。該親核種用放射線遮蔽容器１０は、放射性薬液溶離装置２０の取り付けまたは取り外しを可能とするため、着脱自在の本体部１１と蓋部１２とから構成されている。尚、該親核種用放射線遮蔽容器１０の材質は、一般にγ線の遮蔽に利用されている遮蔽材であれば良いが、主に９９モリブデンの高エネルギーγ線を遮蔽するための遮蔽効率と重量面等を考慮すると、タングステンが好ましい。
【００２５】
娘核種用放射線遮蔽容器１３は、溶出した９９ｍテクネチウム（娘核種）からの放射線を遮蔽するものであり、前記親核種用放射線遮蔽容器１０とは別体で、その内部には供給管２２の一部、排出管２３、レバーを除く開閉バルブ２７及び溶出液フィルタ２４を収容するための凹所が形設されている。この娘核種用放射線遮蔽容器１３は、できるだけコンパクトなものとして軽量化を図るために、排出管２３の形状に対応する凹所を有する排出管収容部１３ａと、溶出液フィルタ２４の形状に対応する凹所を有する溶出液フィルタ収容部１３ｂとから構成するのが特に有利である。また、娘核種用放射線遮蔽容器１３は、排出管２３及び溶出液フィルタ２４の取り付けや分離廃棄処分を容易に行ない得るように着脱自在の２分割体とするのが望ましい。尚、この場合、縦２分割、横２分割の如何を問わない。
【００２６】
娘核種用放射線遮蔽容器１３は、放射性薬液生成供給システム全体の重心バランスを保てるものであればその具体的設置位置は問わないが、例えば、該親核種用放射線遮蔽容器１０の上面より下側で且つ横側において、収納容器２８内に設けられた台座に適宜固定するのが好ましい。尚、該娘核種用放射線遮蔽容器１３の材質は、一般にγ線の遮蔽に利用されている遮蔽材であれば良いが、特に９９ｍテクネチウムの低エネルギーγ線のみを遮蔽できれば良いため、安価で加工しやすい鉛が好適に用いられる。
【００２７】
このような放射性薬液供給システムの使用は、初めに供出針２５に溶出液貯留用バイアル（貯留部）２６を装着し、開閉バルブ２７を操作することで供給管２２および排出管２３の流路が確保され、生理食塩液（溶出液）封入体２１内の生理食塩液（溶出液）は供給管２２を通り、放射性薬液溶離装置２０で９９ｍテクネチウム（娘核種）が溶出される。次いで、溶出された９９ｍテクネチウムを含む生理食塩液（溶出液）は、排出管２３を通って溶出液貯留用バイアル（貯留部）２６に貯留される。この貯留された９９ｍテクネチウム（娘核種）は、放射性医薬品として画像診断薬に使用される。また、９９ｍテクネチウム（娘核種）を肺換気機能検査に利用する場合、溶出液貯留用バイアル（貯留部）２６を用いず、アダプターを介し直接注射筒で採取することもできる。
【図面の簡単な説明】
【００２８】
【図１】本発明放射性薬液供給システムを示す概略縦断面説明図
【符号の説明】
【００２９】
１０：親核種用放射線遮蔽容器
１１：親核種用放射線遮蔽容器の本体部
１２：親核種用放射線遮蔽容器の蓋部
１３：娘核種用放射線遮蔽容器
１３ａ：排出管収容部
１３ｂ：溶出液フィルタ収容部
２０：放射性薬液溶離装置
２１：生理食塩液（溶出液）封入体
２２：供給管
２３：排出管
２４：溶出液フィルタ
２５：供出針
２６：溶出液貯留用バイアル（貯留部）
２７：開閉バルブ
２８：収納容器
【図１】
2005315870.tif 000003